(57)【要約】【課題】動画像の画質を向上させつつ、特に、文字を含む静止画像の画質劣化を防止することができる表示システム、表示装置及び画像送信装置を提供する。【解決手段】ＣＥＣ線４２を介して種類信号を受信していない場合、第２制御部２１は、ＨＤＭＩ線４１を介して受信した映像信号にＴＶ画像データが含まれていると判定し、スイッチ部２８を画像処理部２４側へ接続させる。この場合、ＴＶ画像データに対して輪郭強調処理が施されてから、表示部２０にＴＶ画像が表示される。一方、種類信号を受信した場合、第２制御部２１は、受信した映像信号にＥＰＧデータが含まれていると判定し、スイッチ部２８を信号処理部２２側へ接続する。この場合、ＥＰＧデータに対して無用な輪郭強調処理が施されることなく、表示部２０にＥＰＧが表示される。表示されたＥＰＧは、輪郭部分が強調されすぎることによる画質の劣化が防止されている。【選択図】図３
2010177816.tif 000002
【特許請求の範囲】
【請求項１】
与えられた画像データに基づいて、画像を表示する表示部を有する表示装置と、
該表示装置へ画像データを送信する画像送信装置と
を備える表示システムにおいて、
前記画像送信装置は、
前記表示装置へ送信する画像データの種類が静止画像データであることを示す種類情報を、前記画像データに関連付けて前記表示装置へ送信する種類送信手段を備え、
前記表示装置は、
画像データを受信した場合に、受信した画像データに関連付けて、種類情報を受信したか否かを判定する種類受信判定手段と、
該種類受信判定手段が否と判定した場合に、受信した画像データに対して、所定の画像処理を施してから前記表示部に与える画像処理手段と、
前記種類受信判定手段が受信したと判定した場合に、前記画像処理手段による画像データの処理が実行されないようにして、受信した画像データを前記表示部に与える画像出力手段と
を備えることを特徴とする表示システム。
【請求項２】
前記種類送信手段は、前記表示装置へ送信する画像データの種類が、文字を含む静止画像の静止画像データである場合に、種類情報を送信するようにしてあり、
前記画像処理手段が施す画像処理には、画像データに基づいて、画像に含まれる輪郭部分を強調補正する輪郭強調補正処理が含まれるようにしてあることを特徴とする請求項１に記載の表示システム。
【請求項３】
前記画像送信装置は、
該画像送信装置を識別する識別情報を前記表示装置へ送信する識別送信手段を更に備え、
前記表示装置は、
識別情報を記憶する記憶手段と、
識別情報を受信した場合に、受信した識別情報が、前記記憶手段に記憶してある識別情報と一致するか否かを判定する一致判定手段と
を更に備え、
前記画像出力手段は、前記一致判定手段が一致すると判定し、且つ、前記種類受信判定手段が受信したと判定した場合に、前記画像処理手段による画像データの処理が実行されないようにして、受信した画像データを前記表示部に与えるようにしてあり、
前記画像処理手段は、前記一致判定手段が否と判定した場合は、前記種類受信判定手段の判定結果に関わらず、受信した画像データに対して、前記画像処理を施してから前記表示部に与えるようにしてあることを特徴とする請求項１又は２に記載の表示システム。
【請求項４】
与えられた画像データに基づいて、画像を表示する表示部を有する表示装置において、
画像データを受信した場合に、受信した画像データに関連付けて、画像データの種類が静止画像データであることを示す種類情報を受信したか否かを判定する種類受信判定手段と、
該種類受信判定手段が否と判定した場合に、受信した画像データに対して、所定の画像処理を施してから前記表示部に与える画像処理手段と、
前記種類受信判定手段が受信したと判定した場合に、前記画像処理手段による画像データの処理が実行されないようにして、受信した画像データを前記表示部に与える画像出力手段と
を備えることを特徴とする表示装置。
【請求項５】
与えられた画像データに基づいて画像を表示する表示部を有し、
画像データを受信した場合に、受信した画像データに関連付けて、画像データの種類が文字を含む静止画像の静止画像データであることを示す種類情報を受信したか否かを判定し、
前記種類情報を受信していないと判定した場合に、受信した画像データに対して、画像に含まれる輪郭部分を強調補正する輪郭強調補正処理を含む所定の画像処理を施してから前記表示部に与え、
前記種類情報を受信したと判定した場合に、前記所定の画像処理を施してから前記表示部に与える処理が実行されないようにして、受信した画像データを前記表示部に与える表示装置へ画像データを送信する画像送信装置であって、
前記表示装置へ送信する画像データの種類が、文字を含む静止画像の静止画像データであることを示す種類情報を、前記画像データに関連付けて前記表示装置へ送信する種類送信手段を備えることを特徴とする画像送信装置。
【請求項６】
入力された画像データに基づいて、画像を表示する表示部を有する表示装置と、
該表示装置へ画像データを送信する画像送信装置と
を備える表示システムにおいて、
前記画像送信装置は、
前記表示装置へ送信する画像データに係る圧縮率を示す圧縮率情報を、前記画像データに関連付けて前記表示装置へ送信する情報送信手段を備え、
前記表示装置は、
受信した画像データに対して、互いに異なる圧縮率に対応した画像処理を施してから前記表示部へ出力する複数種類の圧縮率対応処理手段と、
画像データを受信した場合に、受信した画像データに関連付けて、圧縮率情報を受信したか否かを判定する圧縮受信判定手段と、
該圧縮受信判定手段が受信したと判定した場合に、受信した画像データに関連付けられている圧縮率情報が示す圧縮率に対応した圧縮率対応処理手段による画像処理及び前記表示部への出力を実行させる画像処理制御手段と
を備えることを特徴とする表示システム。
【請求項７】
前記画像送信装置は、
該画像送信装置を識別する識別情報を前記表示装置へ送信する識別送信手段を更に備え、
前記表示装置は、
識別情報を記憶する記憶手段と、
識別情報を受信した場合に、受信した識別情報が、前記記憶手段に記憶してある識別情報と一致するか否かを判定する一致判定手段と
を更に備え、
前記画像処理制御手段は、前記一致判定手段が一致すると判定し、且つ、前記圧縮受信判定手段が受信したと判定した場合に、受信した画像データに関連付けられている圧縮率情報が示す圧縮率に対応した圧縮率対応処理手段による画像処理及び前記表示部への出力を実行させるようにしてあることを特徴とする請求項６に記載の表示システム。
【請求項８】
入力された画像データに基づいて、画像を表示する表示部を有する表示装置において、
受信した画像データに対して、互いに異なる圧縮率に対応した画像処理を施してから前記表示部へ出力する複数種類の圧縮率対応処理手段と、
画像データを受信した場合に、受信した画像データに関連付けて、画像データに係る圧縮率を示す圧縮率情報を受信したか否かを判定する圧縮受信判定手段と、
該圧縮受信判定手段が受信したと判定した場合に、受信した画像データに関連付けられている圧縮率情報が示す圧縮率に対応した圧縮率対応処理手段による画像処理及び前記表示部への出力を実行させる画像処理制御手段と
を備えることを特徴とする表示装置。
【請求項９】
入力された画像データに基づいて画像を表示する表示部を有し、
画像データを受信した場合に、受信した画像データに関連付けて、画像データに係る圧縮率を示す圧縮率情報を受信したか否かを判定し、
前記圧縮率情報を受信したと判定した場合に、受信した画像データに対して、前記圧縮率情報が示す圧縮率に対応した画像処理を施してから前記表示部へ出力する表示装置へ画像データを送信する画像送信装置であって、
前記表示装置へ送信する画像データに係る圧縮率を示す圧縮率情報を、前記画像データに関連付けて前記表示装置へ送信する情報送信手段を備えることを特徴とする画像送信装置。
【発明の詳細な説明】
【技術分野】
【０００１】
本発明は、画像送信装置が送信した動画像データ又は静止画像データに基づいて、表示装置が動画像又は静止画像を表示する表示システム、並びにこの表示システムを構成する表示装置及び画像送信装置に関する。
【背景技術】
【０００２】
近年、液晶表示パネルを用いた表示部を備える表示装置は、薄型化が進んでいる。
表示装置を薄型化するために、表示装置と、表示装置とは別体の画像送信装置とが互いに通信することによって画像を表示する表示システムが提案されている。
【０００３】
画像送信装置は、外部からＴＶ放送信号を受信するチューナ部、受信したＴＶ放送信号から画像データを生成するデータ生成部、及び、生成した画像データに対して多種多様な画像処理を施す画像処理部等を備えており、画像データを表示装置へ送信する。
表示装置は、表示部及び必要最小限の画像処理部等を備えており、受信した画像データに画像処理を施してから、画像処理された画像データに基づく画像を表示部で表示する。
表示装置側で実行される画像処理としては、例えば、画像に含まれる輪郭部分が強調されるように画像データを補正する輪郭強調補正処理が挙げられる。
【０００４】
ところで、一般のテレビ番組のような動画像を表示する場合には輪郭強調補正処理を実行し、文字を含む静止画像（例えば番組表）を表示する場合には輪郭強調補正処理を実行しないテレビジョン受像機が提案されている（特許文献１参照）。
このようなテレビジョン受像機は、表示すべき画像が文字を含む静止画像であるか否かを、テレビジョン受像機自身が文字多重放送信号を受信したか否かに基づいて判定する。
【先行技術文献】
【特許文献】
【０００５】
【特許文献１】特開昭６３−１８９０８６号公報
【発明の概要】
【発明が解決しようとする課題】
【０００６】
特許文献１に記載されているように、文字を含む静止画像の静止画像データに対して輪郭強調補正処理を施した場合、表示された静止画像に含まれる文字の輪郭部分が強調され過ぎて、文字が多重に見えるような画質の劣化が生じる虞がある。
従来の表示システムを構成する表示装置は、文字を含む静止画像の画質劣化を防止することができない。何故ならば、このような表示装置は、画像送信装置が送信した画像データを受動的に得るものであるため、受信した画像データが文字を含む静止画像の静止画像データであるか否かを判定することができず、受信した画像データ全てに対して、輪郭強調補正処理を施すからである。
【０００７】
仮に、受信した画像データ全てに対して、輪郭強調補正処理を施さない場合、文字を含む静止画像の画質劣化を防止することはできるが、文字を含まない静止画像、及び動画像の画質が劣化するという不都合が生じる。
以上のような問題を解決するために、表示装置側で、受信した画像データに基づいて画像の種類を判別し、判別結果が、文字を含む静止画像であることを示している場合は、画像データに対して輪郭強調補正処理を施さないようにする構成が考えられる。
【０００８】
しかしながら、画像データに基づいて画像の種類を判別する処理は煩雑である。このため、表示装置が備える演算部の負荷が大幅に増大し、画像表示処理の実行に支障を来す虞がある。仮に、画像の種類を判別する回路を新たに追加したとすれば、演算部の負荷は軽減されるものの、部品点数が増加する分、コストが上昇し、また、表示装置の薄型化が困難になる。
【０００９】
また、表示装置側で画像データに対して施すべき画像処理は、画像データの圧縮率に応じて変更することが望ましい。しかしながら、表示装置側では、受信した画像データの圧縮率を判別することができない。従って、従来の表示装置は、受信した画像データの圧縮率の多寡とは無関係に、一律に同様の画像処理を施す。このため、画質の十分な向上が望めないという問題がある。
【００１０】
特許文献１に記載されたテレビジョン装置は、文字を含む静止画像の画質が劣化する不都合を解消している。しかしながら、特許文献１に記載のテレビジョン装置は、画像送信装置とは無関係に単体で使用されるものである。このため、特許文献１には、表示システムを構成する表示装置がこのような不都合を解消する技術事項については言及されていない。また、特許文献１には、テレビジョン装置が備えるチューナ部が受信したＴＶ放送信号についてのみ言及されており、ＤＶＤ又はハードディスク等から読み出された静止画像データをテレビジョン装置が受信した場合については言及されていない。更に、特許文献１には、圧縮率に応じた画像処理については言及されていない。
【００１１】
本発明は斯かる事情に鑑みてなされたものであり、その主たる目的は、画像送信装置が、画像データの種類が静止画像データであることを示す種類情報と画像データとを送信し、種類情報及び画像データを受信した表示装置が、受信した画像データに対して所定の画像処理を施さずに、この画像データに基づく静止画像を表示する構成とすることにより、表示装置の負荷を大幅に増大させることなく、また、画像の種類を判別する回路のような新たな部品を表示装置に追加することなく、動画像の画質を維持しつつ静止画像の画質劣化を防止することができる表示システム、表示装置及び画像送信装置を提供することにある。
【００１２】
本発明の他の目的は、画像送信装置が、画像データの圧縮率を示す圧縮率情報と画像データとを送信し、圧縮率情報及び画像データを受信した表示装置が、受信した画像データに対して圧縮率に応じた画像処理を施してから、この画像データに基づく画像を表示する構成とすることにより、表示装置の負荷を大幅に増大させることなく、また、圧縮率を判別する回路のような新たな部品を表示装置に追加することなく、圧縮率の多寡に関わらず画像の画質を向上させることができる表示システム、表示装置及び画像送信装置を提供することにある。
【課題を解決するための手段】
【００１３】
本発明に係る表示システムは、与えられた画像データに基づいて、画像を表示する表示部を有する表示装置と、該表示装置へ画像データを送信する画像送信装置とを備える表示システムにおいて、前記画像送信装置は、前記表示装置へ送信する画像データの種類が静止画像データであることを示す種類情報を、前記画像データに関連付けて前記表示装置へ送信する種類送信手段を備え、前記表示装置は、画像データを受信した場合に、受信した画像データに関連付けて、種類情報を受信したか否かを判定する種類受信判定手段と、該種類受信判定手段が否と判定した場合に、受信した画像データに対して、所定の画像処理を施してから前記表示部に与える画像処理手段と、前記種類受信判定手段が受信したと判定した場合に、前記画像処理手段による画像データの処理が実行されないようにして、受信した画像データを前記表示部に与える画像出力手段とを備えることを特徴とする。
【００１４】
本発明に係る表示システムは、前記種類送信手段は、前記表示装置へ送信する画像データの種類が、文字を含む静止画像の静止画像データである場合に、種類情報を送信するようにしてあり、前記画像処理手段が施す画像処理には、画像データに基づいて、画像に含まれる輪郭部分を強調補正する輪郭強調補正処理が含まれるようにしてあることを特徴とする。
【００１５】
本発明に係る表示システムは、前記画像送信装置は、該画像送信装置を識別する識別情報を前記表示装置へ送信する識別送信手段を更に備え、前記表示装置は、識別情報を記憶する記憶手段と、識別情報を受信した場合に、受信した識別情報が、前記記憶手段に記憶してある識別情報と一致するか否かを判定する一致判定手段とを更に備え、前記画像出力手段は、前記一致判定手段が一致すると判定し、且つ、前記種類受信判定手段が受信したと判定した場合に、前記画像処理手段による画像データの処理が実行されないようにして、受信した画像データを前記表示部に与えるようにしてあり、前記画像処理手段は、前記一致判定手段が否と判定した場合は、前記種類受信判定手段の判定結果に関わらず、受信した画像データに対して、前記画像処理を施してから前記表示部に与えるようにしてあることを特徴とする。
【００１６】
本発明に係る表示装置は、与えられた画像データに基づいて、画像を表示する表示部を有する表示装置において、画像データを受信した場合に、受信した画像データに関連付けて、画像データの種類が静止画像データであることを示す種類情報を受信したか否かを判定する種類受信判定手段と、該種類受信判定手段が否と判定した場合に、受信した画像データに対して、所定の画像処理を施してから前記表示部に与える画像処理手段と、前記種類受信判定手段が受信したと判定した場合に、前記画像処理手段による画像データの処理が実行されないようにして、受信した画像データを前記表示部に与える画像出力手段とを備えることを特徴とする。
【００１７】
本発明に係る画像送信装置は、与えられた画像データに基づいて画像を表示する表示部を有し、画像データを受信した場合に、受信した画像データに関連付けて、画像データの種類が文字を含む静止画像の静止画像データであることを示す種類情報を受信したか否かを判定し、前記種類情報を受信していないと判定した場合に、受信した画像データに対して、画像に含まれる輪郭部分を強調補正する輪郭強調補正処理を含む所定の画像処理を施してから前記表示部に与え、前記種類情報を受信したと判定した場合に、前記所定の画像処理を施してから前記表示部に与える処理が実行されないようにして、受信した画像データを前記表示部に与える表示装置へ画像データを送信する画像送信装置であって、前記表示装置へ送信する画像データの種類が、文字を含む静止画像の静止画像データであることを示す種類情報を、前記画像データに関連付けて前記表示装置へ送信する種類送信手段を備えることを特徴とする。
【００１８】
本発明に係る表示システムは、入力された画像データに基づいて、画像を表示する表示部を有する表示装置と、該表示装置へ画像データを送信する画像送信装置とを備える表示システムにおいて、前記画像送信装置は、前記表示装置へ送信する画像データに係る圧縮率を示す圧縮率情報を、前記画像データに関連付けて前記表示装置へ送信する情報送信手段を備え、前記表示装置は、受信した画像データに対して、互いに異なる圧縮率に対応した画像処理を施してから前記表示部へ出力する複数種類の圧縮率対応処理手段と、画像データを受信した場合に、受信した画像データに関連付けて、圧縮率情報を受信したか否かを判定する圧縮受信判定手段と、該圧縮受信判定手段が受信したと判定した場合に、受信した画像データに関連付けられている圧縮率情報が示す圧縮率に対応した圧縮率対応処理手段による画像処理及び前記表示部への出力を実行させる画像処理制御手段とを備えることを特徴とする。
【００１９】
本発明に係る表示システムは、前記画像送信装置は、該画像送信装置を識別する識別情報を前記表示装置へ送信する識別送信手段を更に備え、前記表示装置は、識別情報を記憶する記憶手段と、識別情報を受信した場合に、受信した識別情報が、前記記憶手段に記憶してある識別情報と一致するか否かを判定する一致判定手段とを更に備え、前記画像処理制御手段は、前記一致判定手段が一致すると判定し、且つ、前記圧縮受信判定手段が受信したと判定した場合に、受信した画像データに関連付けられている圧縮率情報が示す圧縮率に対応した圧縮率対応処理手段による画像処理及び前記表示部への出力を実行させるようにしてあることを特徴とする。
【００２０】
本発明に係る表示装置は、入力された画像データに基づいて、画像を表示する表示部を有する表示装置において、受信した画像データに対して、互いに異なる圧縮率に対応した画像処理を施してから前記表示部へ出力する複数種類の圧縮率対応処理手段と、画像データを受信した場合に、受信した画像データに関連付けて、画像データに係る圧縮率を示す圧縮率情報を受信したか否かを判定する圧縮受信判定手段と、該圧縮受信判定手段が受信したと判定した場合に、受信した画像データに関連付けられている圧縮率情報が示す圧縮率に対応した圧縮率対応処理手段による画像処理及び前記表示部への出力を実行させる画像処理制御手段とを備えることを特徴とする。
【００２１】
本発明に係る画像送信装置は、入力された画像データに基づいて画像を表示する表示部を有し、画像データを受信した場合に、受信した画像データに関連付けて、画像データに係る圧縮率を示す圧縮率情報を受信したか否かを判定し、前記圧縮率情報を受信したと判定した場合に、受信した画像データに対して、前記圧縮率情報が示す圧縮率に対応した画像処理を施してから前記表示部へ出力する表示装置へ画像データを送信する画像送信装置であって、前記表示装置へ送信する画像データに係る圧縮率を示す圧縮率情報を、前記画像データに関連付けて前記表示装置へ送信する情報送信手段を備えることを特徴とする。
【００２２】
本発明にあっては、表示システムが表示装置と画像送信装置とを用いてなり、画像送信装置は種類送信手段を備え、表示装置は、表示部の他に、種類受信判定手段、画像処理手段、及び画像出力手段を備える。
本明細書中では、動画像と静止画像とを区別しない場合は、単に画像といい、動画像データと静止画像データとを区別しない場合は、単に画像データという。
【００２３】
画像送信装置は、表示装置へ画像データを送信する。画像送信装置の種類送信手段は、表示装置へ送信する画像データの種類が静止画像データであることを示す種類情報を、表示装置へ送信する画像データに関連付けて表示装置へ送信する。
種類送信手段による種類情報の送信は、表示装置へ送信する画像データの種類が静止画像データである場合に実行される。表示装置へ送信する画像データの種類が動画像データである場合、種類送信手段による種類情報の送信を実行する必要はない。
【００２４】
表示装置は、画像送信装置が送信した画像データを受信する。
一般的な表示装置は、受信した画像データに対して、ソフトウェア的又はハードウェア的に所定の画像処理を施すよう構成されている。ただし、この画像処理は、動画像データに対して実行された場合に、表示される動画像の画質が向上するものである。仮に、この画像処理が静止画像データに対して実行された場合は、表示される静止画像の画質が劣化する虞がある。
【００２５】
そこで、表示装置の種類受信判定手段は、画像データを受信した場合に、受信した画像データに関連付けて、種類情報を受信したか否かを判定する。
種類情報を受信した場合、受信した画像データは静止画像データであるということがわかる。一方、種類情報を受信していない場合、受信した画像データは動画像データであるということがわかる。
【００２６】
従って、表示装置の画像処理手段は、種類受信判定手段が否と判定した場合に、受信した画像データ（即ち動画像データ）に対して、所定の画像処理を施してから表示部に与える。
表示部は、与えられた動画像データに基づいて、動画像を表示する。つまり、動画像の画質を向上させる画像処理が施された動画像データに基づいて、画質が向上された動画像が表示部に表示される。
【００２７】
一方、表示装置の画像出力手段は、種類受信判定手段が受信したと判定した場合に、受信した画像データ（即ち静止画像データ）を表示部に与える。このとき、画像処理手段による画像データの処理は実行されない。つまり、受信した画像データに対して所定の画像処理を施してから表示部に与えることが禁止される。
表示部は、与えられた静止画像データに基づいて、静止画像を表示する。つまり、静止画像の画質を劣化させる画像処理が施されていない静止画像データに基づいて、画質が劣化していない静止画像が表示部に表示される。
【００２８】
本発明にあっては、表示装置が備える画像処理手段が実行する画像処理には、画像データに基づいて、画像に含まれる輪郭部分を強調補正する輪郭強調補正処理が含まれている。
このような輪郭強調補正処理が、動画像データ、又は文字を含まない静止画像の静止画像データに対して実行された場合、表示される動画像又は静止画像の画質を向上させることができる。しかしながら、このような輪郭強調補正処理が、文字を含む静止画像の静止画像データに対して実行された場合、表示される静止画像の画質が劣化する虞がある。
【００２９】
そこで、画像送信装置の種類送信手段は、表示装置へ送信する画像データの種類が文字を含む静止画像の静止画像データであることを示す種類情報を、表示装置へ送信する画像データに関連付けて表示装置へ送信する。
種類送信手段による種類情報の送信は、表示装置へ送信する画像データの種類が文字を含む静止画像の静止画像データである場合に実行される。表示装置へ送信する画像データの種類が動画像データである場合、又は、文字を含まない静止画像の静止画像データである場合には、種類送信手段による種類情報の送信を実行する必要はない。
【００３０】
表示装置の種類受信判定手段は、画像データを受信した場合に、受信した画像データに関連付けて、種類情報を受信したか否かを判定する。
種類情報を受信した場合、受信した画像データは文字を含む静止画像の静止画像データであるということがわかる。一方、種類情報を受信していない場合、受信した画像データは動画像データであるか、又は文字を含まない静止画像の静止画像データであるということがわかる。
従って、表示装置の画像処理手段は、種類受信判定手段が否と判定した場合に、受信した画像データ（即ち動画像データ、又は文字を含まない静止画像の静止画像データ）に対して、所定の画像処理を施してから表示部に与える。
【００３１】
表示部は、与えられた動画像データ又は静止画像データに基づいて、動画像又は文字を含まない静止画像を表示する。つまり、動画像又は文字を含まない静止画像の画質を向上させる画像処理が施された動画像データ又は静止画像データに基づいて、画質が向上された動画像又は静止画像が表示部に表示される。
【００３２】
一方、表示装置の画像出力手段は、種類受信判定手段が受信したと判定した場合に、受信した画像データ（即ち文字を含む静止画像の静止画像データ）を表示部に与える。このとき、画像処理手段による画像処理は実行されない。
表示部は、与えられた静止画像データに基づいて、文字を含む静止画像を表示する。つまり、文字を含む静止画像の画質を劣化させる画像処理が施されていない静止画像データに基づいて、画質が劣化していない静止画像が表示部に表示される。
【００３３】
本発明にあっては、画像送信装置が識別送信手段を更に備え、表示装置が記憶手段及び一致判定手段を更に備える。
【００３４】
表示システムは、互いにメーカが異なる画像送信装置及び表示装置を用いて構成されることもある。これは、必ずしも同一メーカの画像送信装置及び表示装置を購入しなくてよいという点でユーザの利便性が向上されている。しかしながら、例えば表示システムにトラブルが生じた場合に、何れのメーカへ修理に出せばよいのかユーザには判断し難いというような不都合も生じ得る。また、メーカ側には、ユーザを囲い込むことができないという不都合が生じる。
以上のことから、各メーカでは、他社製品との差別化を図るために、自社製品同士で構成された表示システムでのみ効果を発揮する独自の機能を画像送信装置及び／又は表示装置に搭載することがある。
【００３５】
このために、画像送信装置の識別送信手段は、識別情報を表示装置へ送信する。この識別情報は、画像送信装置を、少なくとも他社の画像送信装置と識別する情報であればよい。
一方、表示装置の記憶手段には、識別情報が記憶されている。この識別情報は、自社の画像送信装置の識別情報である。
【００３６】
その上で、表示装置の一致判定手段は、識別情報を受信した場合に、受信した識別情報が、記憶手段に記憶してある識別情報と一致するか否かを判定する。
一致する場合は、表示装置と通信している画像送信装置が自社の画像送信装置である（即ち、表示システムが自社製品同士で構成された表示システムである）ことがわかる。一致しない場合は、表示装置と通信している画像送信装置が他社の画像送信装置である（即ち、表示システムが他社製品を含む表示システムである）ことがわかる。
【００３７】
表示装置の画像処理手段は、一致判定手段の判定結果に関わらず、種類受信判定手段が否と判定したときに、受信した画像データに対して、所定の画像処理を施してから表示部に与える。このため、自社製品同士で構成された表示システムであっても、他社製品を含む表示システムであっても、動画像（又は文字を含まない静止画像）の画質を向上させる画像処理が施された動画像データ（又は文字を含まない静止画像の静止画像データ）に基づいて、画質が向上された動画像（又は静止画像）が表示部に表示される。
【００３８】
一方、一致判定手段が一致すると判定した場合に、種類受信判定手段が受信したと判定したとき、表示装置の画像出力手段は、受信した画像データを表示部に与える。このとき、画像処理手段による画像データの処理は実行されない。つまり、自社製品同士で構成された表示システムでは、静止画像（又は文字を含む静止画像）の画質を劣化させる画像処理が施されていない静止画像データ（又は文字を含む静止画像の静止画像データ）に基づいて、画質が劣化していない静止画像が表示部に表示される。
【００３９】
ところが、一致判定手段が否と判定した場合に、種類受信判定手段が受信したと判定したとき、表示装置の画像処理手段は、受信した画像データに対して、所定の画像処理を施してから表示部に与える。このため、他社製品を含む表示システムでは、静止画像（又は文字を含む静止画像）の画質を劣化させる画像処理が施された静止画像データ（又は文字を含む静止画像の静止画像データ）に基づいて、画質が劣化している静止画像が表示部に表示される。
以上のことから、自社製品同士で構成された表示システムの、他社製品を含む表示システムに対する優位性として、表示される静止画像（又は文字を含む静止画像）が高い画質を有するという点を主張することができる。
【００４０】
本発明にあっては、表示システムが表示装置と画像送信装置とを用いてなり、画像送信装置は情報送信手段を備え、表示装置は、表示部の他に、複数種類の圧縮率対応処理手段、圧縮受信判定手段、及び画像処理制御手段を備える。
【００４１】
画像送信装置は、表示装置へ画像データを送信する。画像送信装置の情報送信手段は、表示装置へ送信する画像データに係る圧縮率を示す圧縮率情報を、表示装置へ送信する画像データに関連付けて表示装置へ送信する。
情報送信手段による圧縮率情報の送信は、表示装置へ送信する画像データに係る圧縮率に応じて実行される。表示装置へ送信される画像データは、圧縮された状態であっても、伸張された状態であってもよいが、圧縮率情報が示す圧縮率は、画像データの現在の圧縮率、又は、伸張される前の圧縮率である。
【００４２】
表示装置は、画像送信装置が送信した画像データを受信する。
一般的な表示装置は、受信した画像データに対して、ソフトウェア的又はハードウェア的に所定の画像処理を施すよう構成されている。仮に、異なる圧縮率の画像データに対して同一の画像処理が実行された場合、一の圧縮率に係る画像データは画質が向上されたとしても、他の圧縮率に係る画像データに基づく画像については、画質を十分に向上させることができないか、又は画質が劣化する虞がある。
【００４３】
そこで、表示装置の圧縮受信判定手段は、画像データを受信した場合に、受信した画像データに関連付けて、圧縮率情報を受信したか否かを判定する。
圧縮率情報を受信した場合、受信した画像データに係る圧縮率がわかる。
表示装置の各圧縮率対応処理手段は、受信した画像データに対して、圧縮率に対応した画像処理を施してから表示部へ出力する。複数種類の圧縮率対応処理手段夫々に対応している圧縮率は、互いに異なる。
【００４４】
従って、表示装置の画像処理制御手段は、圧縮受信判定手段が受信したと判定した場合に、受信した画像データに関連付けられている圧縮率情報が示す圧縮率に対応した圧縮率対応処理手段による画像処理と、画像処理が施された画像データの表示部への出力（以下、画像出力という）とを実行させる。
この場合、画像処理及び画像出力を実行する圧縮率対応処理手段以外の圧縮率対応処理手段は、画像処理及び画像出力の両方を実行しない構成でもよく、画像処理は実行するが、画像出力は実行しない構成でもよい。
【００４５】
表示部は、入力された画像データに基づいて、画像を表示する。つまり、画像データ自身に係る圧縮率に応じた画像処理が施された画像データに基づいて、画質が向上された画像が表示部に表示される。
ところで、圧縮率情報を受信していない場合、受信した画像データに係る圧縮率は、表示装置側ではわからない。この場合、受信した画像データに係る圧縮率に関係なく、同一の圧縮率対応処理手段による画像処理及び画像出力が実行されてもよく、圧縮率対応処理手段による画像処理及び画像出力を実行せずに、受信した画像データが直接的に表示部へ出力されてもよい。この場合、表示される画像の画質を十分に向上させることができないか、又は画質が劣化する虞がある。
【００４６】
本発明にあっては、画像送信装置が識別送信手段を更に備え、表示装置が記憶手段及び一致判定手段を更に備える。
【００４７】
表示システムは、互いにメーカが異なる画像送信装置及び表示装置を用いて構成されることもある。これは、必ずしも同一メーカの画像送信装置及び表示装置を購入しなくてよいという点でユーザの利便性が向上されている。しかしながら、例えば表示システムにトラブルが生じた場合に、何れのメーカへ修理に出せばよいのかユーザには判断し難いというような不都合も生じ得る。また、メーカ側には、ユーザを囲い込むことができないという不都合が生じる。
以上のことから、各メーカでは、他社製品との差別化を図るために、自社製品同士で構成された表示システムでのみ効果を発揮する独自の機能を画像送信装置及び／又は表示装置に搭載することがある。
【００４８】
このために、画像送信装置の識別送信手段は、識別情報を表示装置へ送信する。この識別情報は、画像送信装置を、少なくとも他社の画像送信装置と識別する情報であればよい。
一方、表示装置の記憶手段には、識別情報が記憶されている。この識別情報は、自社の画像送信装置の識別情報である。
【００４９】
その上で、表示装置の一致判定手段は、識別情報を受信した場合に、受信した識別情報が、記憶手段に記憶してある識別情報と一致するか否かを判定する。
一致する場合は、表示装置と通信している画像送信装置が自社の画像送信装置である（即ち、表示システムが自社製品同士で構成された表示システムである）ことがわかる。一致しない場合は、表示装置と通信している画像送信装置が他社の画像送信装置である（即ち、表示システムが他社製品を含む表示システムである）ことがわかる。
【００５０】
表示装置の画像処理制御手段は、一致判定手段が一致すると判定し、且つ、圧縮受信判定手段が受信したと判定した場合に、受信した画像データに関連付けられている圧縮率情報が示す圧縮率に対応した圧縮率対応処理手段による画像処理と、画像処理が施された画像データの表示部への出力とを実行させる。
表示部は、入力された画像データに基づいて、画像を表示する。つまり、自社製品同士で構成された表示システムでは、画像データ自身に係る圧縮率に応じた画像処理が施された画像データに基づいて、画質が向上された画像が表示部に表示される。
【００５１】
ところで、一致判定手段が否と判定した場合は、受信した画像データに係る圧縮率に関係なく、同一の圧縮率対応処理手段による画像処理及び画像出力が実行されてもよく、圧縮率対応処理手段による画像処理及び画像出力を実行せずに、受信した画像データが直接的に表示部へ出力されてもよい。つまり、他社製品を含む表示システムでは、表示される画像の画質を十分に向上させることができないか、又は画質が劣化する虞がある。
以上のことから、自社製品同士で構成された表示システムの、他社製品を含む表示システムに対する優位性として、表示される画像が高い画質を有するという点を主張することができる。
【発明の効果】
【００５２】
本発明の表示システム、表示装置及び画像送信装置による場合、表示装置が種類情報を受信したか受信していないかに応じて、受信した画像データに対して画像処理を実行しないか実行するかが判定される。このため、表示すべき画像が動画像であれば、画像処理によって画質を向上させることができ、表示すべき画像が静止画像であれば、画像処理によって画質が劣化することを防止することができる。
【００５３】
種類情報を受信したか否かの判定処理は簡易であるため、表示装置が備える演算部の負荷が大幅に増大することはない。従って、このような判定処理を実行することによって、画像表示処理の実行に支障を来すことはない。
更に、このような判定処理を実行するための回路を新たに追加する必要もないため、部品点数が変化しない分、コストの上昇を抑えることができ、また、表示装置を容易に薄型化することができる。
【００５４】
更にまた、表示装置側では、受信した画像データがＴＶ放送信号に基づくものであってもＤＶＤ又はハードディスク等から読み出されたものであっても無関係に同様の処理を実行することができるため、表示装置の構成が複雑化することが抑制される。
【００５５】
本発明の表示システム、表示装置及び画像送信装置による場合、表示装置が受信した圧縮率情報が示す圧縮率に応じて、受信した画像データに対して最適な画像処理を施すことができる。このため、画像処理によって画質が向上された画像を表示部に表示させることができる。
【００５６】
受信した圧縮率情報が示す圧縮率に応じて、画像処理及び画像出力を実行する手段を切り替える切替処理は簡易であるため、表示装置が備える演算部の負荷が大幅に増大することはない。従って、このような切替処理を実行することによって、画像表示処理の実行に支障を来すことはない。
また、表示装置側では、受信した画像データがＴＶ放送信号に基づくものであってもＤＶＤ又はハードディスク等から読み出されたものであっても無関係に同様の処理を実行することができるため、表示装置の構成が複雑化することが抑制される。
【図面の簡単な説明】
【００５７】
【図１】本発明の実施の形態１に係る表示システムの概要を示す模式図である。
【図２】本発明の実施の形態１に係る表示システムが備える画像送信装置の要部構成を示すブロック図である。
【図３】本発明の実施の形態１に係る表示装置の要部構成を示すブロック図である。
【図４】本発明の実施の形態１に係る表示装置と画像送信装置との間で実行される識別情報送受信処理の手順を示すフローチャートである。
【図５】本発明の実施の形態１に係る表示装置と画像送信装置との間で実行される画像送受信処理の手順を示すフローチャートである。
【図６】本発明の実施の形態１に係る表示装置で実行される画像表示処理の手順を示すフローチャートである。
【図７】本発明の実施の形態１に係る表示装置で実行される表示制御処理手順のサブルーチンを示すフローチャートである。
【図８】本発明の実施の形態２に係る表示システムの概要を示す模式図である。
【図９】本発明の実施の形態２に係る表示システムが備える画像送信装置の要部構成を示すブロック図である。
【図１０】本発明の実施の形態２に係る表示装置の要部構成を示すブロック図である。
【図１１】本発明の実施の形態２に係る表示装置と画像送信装置との間で実行されるビデオ画像送受信処理の手順を示すフローチャートである。
【図１２】本発明の実施の形態２に係る表示装置で実行される表示制御処理手順のサブルーチンを示すフローチャートである。
【発明を実施するための形態】
【００５８】
以下、本発明を、その実施の形態を示す図面に基づいて詳述する。
【００５９】
実施の形態  １．
図１は、本発明の実施の形態１に係る表示システム７の概要を示す模式図である。
まず、本実施の形態の表示システム７のハードウェア構成を説明する。
図に示す表示システム７は、画像送信装置１、表示装置２、リモートコントローラ（リモコン）３、及び通信線４を含む。
【００６０】
画像送信装置１は、屋内の壁５に突設されたラック５１上に載置されている。画像送信装置１はチューナであり、地上デジタル放送、デジタル衛星放送、又はアナログ放送に係るＴＶ放送信号を受信する。画像送信装置１は、受信したＴＶ放送信号に適宜の信号処理を施して映像信号を生成し、生成した映像信号を、表示装置２へ送信する。
以下では、デジタル放送に係るＴＶ放送信号を画像送信装置１が受信する場合を例示する。また、映像信号に、動画像データ及び静止画像データの何れか一方と、音声データとが含まれている場合を例示する。
【００６１】
本実施の形態では、動画像データとして、ＴＶ番組の動画像の動画像データを例示し、静止画像データとして、ＥＰＧ（Electronic Program Guide）を含む番組表の静止画像の静止画像データを例示する。番組表の静止画像には、ＴＶ番組のタイトル及び放映時間等を表わす文字が含まれる。なお、文字を含む静止画像は、ＥＰＧに限定されず、例えば表示システム７の機能又はコマンド等の一覧表であるメニュー画面、天気予報、ニュース速報、又は交通情報等の静止画像であってもよい。
【００６２】
以下では、ＴＶ番組の動画像をＴＶ画像といい、ＴＶ画像の動画像データをＴＶ画像データという。また、番組表の静止画像をＥＰＧといい、ＥＰＧを示す静止画像データをＥＰＧデータという。更に、ＴＶ画像とＥＰＧとを区別しない場合は、単に画像といい、ＴＶ画像データとＥＰＧデータとを区別しない場合は、単に画像データという。
【００６３】
ＴＶ画像データは連続的に放送されるが、ＥＰＧデータは所定のタイミングで（例えば１時間に１回）ＴＶ画像データと同時的に放送される。このため、ＴＶ放送信号には、ＴＶ画像データ及びＥＰＧデータの両方が含まれているＴＶ放送信号と、ＥＰＧデータが含まれていないＴＶ放送信号とがある。
【００６４】
なお、画像送信装置１は、ＴＶ画像データ及びＥＰＧデータに限らず、動画像データ及び静止画像データを夫々表示装置２へ送信する装置であればよい。このため、画像送信装置１はチューナに限定されず、例えばＩＰネットワークを介して外部のサーバコンピュータから配信される映像信号を受信する受信装置であってもよく、内蔵のハードディスクに対して映像信号を記録及び再生するレコーダであってもよい。又は、画像送信装置１は、ＤＶＤ又はブルーレイ規格に基づくブルーレイディスク等の可搬型記録媒体に対して映像信号を記録及び再生するレコーダであってもよい。
【００６５】
また、画像送信装置１は、壁５に突設されたラック５１上に載置される構成に限定されず、例えば床に設置されたラック上に載置される構成でもよく、壁５の凹部に埋設される構成でもよい。
【００６６】
表示装置２は壁掛け型の液晶ディスプレイであり、ボルト又は釘等を用いて、壁５に取り付けられている。表示装置２は、液晶表示パネルを用いてなる表示部２０を備え、表示部２０の表示画面が、表示装置２の筐体２００の正面中央部に配されている。
なお、表示装置２は、液晶ディスプレイに限定されず、有機ＥＬディスプレイ、又はプラズマディスプレイ等であってもよい。
また、表示装置２は、壁掛け型に限定されず、例えば壁寄せ型でもよく、表示部２０の表示画面を露出させて壁５の凹部に埋設されるタイプでもよい。
【００６７】
画像送信装置１と表示装置２とは、通信線４を用いて接続されている。通信線４は、ＨＤＭＩ（High-Definition Multimedia Interface：登録商標）規格に基づくＨＤＭＩケーブルであり、通信線４を介して、映像信号及び各種制御信号が送受信される。
なお、通信線４は、ＨＤＭＩケーブルに限定されず、他の規格に基づくケーブルであってもよい。
また、画像送信装置１と表示装置２とが無線で接続される構成でもよい。この場合、例えば６０ＧＨｚ帯のミリ波を利用した無線通信によって、映像信号及び各種制御信号が送受信される。
【００６８】
リモコン３は、画像送信装置１及び表示装置２を遠隔操作するための装置であり、筐体の一面に、チューナ電源キー３３１、ＴＶ電源キー３３２、及びＥＰＧ切替キー３３３を含む各種の操作キーが設けられている。
なお、画像送信装置１及び表示装置２に対して個別のリモコンが用いられる構成でもよい。
【００６９】
次に、画像送信装置１、表示装置２、及びリモコン３夫々のハードウェア構成を更に詳細に説明する。
図２及び図３は、画像送信装置１及び表示装置２の要部構成を示すブロック図である。
図２及び図３に示すように、通信線４は、ＨＤＭＩ線４１及びＣＥＣ線４２を備えている。映像信号はＨＤＭＩ線４１を介して送受信され、各種制御信号はＣＥＣ線４２を介して送受信される。
【００７０】
図２に示すように、画像送信装置１は、第１制御部１１、信号処理部１２、操作部１３、記憶部１５、受信部１６、放送受信部１９０、及びＨＤＭＩ信号送信部１９２等を備え、これらがバス１１１及び各種信号線等を用いて相互に接続されてなる。
【００７１】
記憶部１５は、ＲＯＭ、ＲＡＭ、ＥＥＰＲＯＭ及びハードディスク等を用いてなり、制御プログラム１Ｐ及び制御プログラム１Ｐを実行するために必要なデータ等が記憶されている。制御プログラム１Ｐは、画像送信装置１の製造時に記憶部１５のＲＯＭにインストールされてもよく、工場出荷後に、記憶部１５のＥＥＰＲＯＭにダウンロードされてもよい。
また、記憶部１５の例えばＲＯＭには、識別情報が記憶してある。記憶部１５に記憶される識別情報には、画像送信装置１を他社製の画像送信装置１と識別するための情報（例えば自社名）が含まれている。このような識別情報は、製造時に記憶部１５に書き込まれる。
【００７２】
更に、記憶部１５の例えばハードディスクには、信号処理部１２が記憶部１５へ出力した映像信号が上書き記憶される。ただし、この映像信号は、ＥＰＧデータを含む映像信号である。記憶部１５に記憶された映像信号は、ユーザがＥＰＧの表示を所望する場合に記憶部１５から読み出されて、信号処理部１２へ出力される。
なお、ＴＶ画像データを含む映像信号も記憶部１５に記憶される場合には、例えば、ＥＰＧデータを含む映像信号のみを記憶するための専用の記憶領域を設定しておくことによって、ＥＰＧデータ含む映像信号とＴＶ画像データを含む映像信号とが混在する不都合を解消することができる。
【００７３】
第１制御部１１は、マイクロプロセッサ及びキャッシュメモリ等を用いてなる。第１制御部１１は、画像送信装置１の制御中枢であり、記憶部１５のＲＡＭを作業領域として用い、記憶部１５のＲＯＭ又はＥＥＰＲＯＭに記憶された制御プログラム１Ｐ及びデータに従って装置各部を制御し、本実施の形態に係る種々のソフトウェア的機能を実行する。
【００７４】
操作部１３は、画像送信装置１の筐体前面に設けられた操作ボタンを備えており、ユーザによって操作された操作ボタンに対応する操作信号を第１制御部１１へ出力する。
受信部１６は、リモコン３が送信した操作信号を受信する。受信部１６が受信した操作信号は、第１制御部１１へ出力される。操作信号が入力された第１制御部１１は、入力された操作信号に応じた各種処理を実行する。
【００７５】
放送受信部１９０はチューナ部を備え、ＭＰＥＧ２又はＭＰＥＧ４等のプロトコルに従って放送されるデータストリームとしてのＴＶ放送信号を受信する。
また、放送受信部１９０は、受信したＴＶ放送信号に対して復調処理及び復号処理等の各種信号処理を施すことによって映像信号を生成し、生成した映像信号を、信号処理部１２へ出力する。ただし、ＴＶ放送信号に、ＴＶ画像データ及びＥＰＧデータの両方が含まれている場合、放送受信部１９０は、ＴＶ画像データを含む映像信号と、ＥＰＧデータを含む映像信号とを分離して信号処理部１２へ出力する。
【００７６】
ところで、ＴＶ画像データ及びＥＰＧデータの両方が含まれているＴＶ放送信号と、ＥＰＧデータが含まれていないＴＶ放送信号とを判別する構成は、どのようなものであってもよい。例えば、放送受信部１９０が受信したＴＶ放送信号が文字多重放送信号であるか否かを判定する構成が考えられる。
或いは、画像データのヘッダ又はプロパティ等を参照するか、又は、画像データを解析する等して、映像信号に含まれる画像データの種類を判別する構成が考えられる。ただし、どのような構成であれ、画像データの種類を判別する構成は、後述する種類情報を受信したか否かを判定する構成に比べれば、複雑である。
【００７７】
信号処理部１２は、放送受信部１９０から入力された映像信号に含まれる画像データに対して画像処理を施す。このために、信号処理部１２は、画像データのＲＧＢ各色を補正する補正回路、及び、画像データのフォーマットを、表示装置２の表示部２０で表示することが可能な画素数に変換するスケーラ等を内部に含む。
信号処理部１２にて画像処理が行なわれた映像信号の内、ＴＶ画像データを含む映像信号は、ＨＤＭＩ信号送信部１９２へ出力される。一方、ＥＰＧデータを含む映像信号は、記憶部１５へ出力される。
信号処理部１２は、記憶部１５から読み出された映像信号が入力された場合に、入力された映像信号をＨＤＭＩ信号送信部１９２へ出力する。
【００７８】
ＨＤＭＩ信号送信部１９２は、信号処理部１２から入力された映像信号を、表示装置２のＨＤＭＩ信号受信部２９１へ、ＨＤＭＩ線４１を介して送信する。
【００７９】
図３に示すように、表示装置２は、表示部２０、第２制御部２１、信号処理部２２、操作部２３、画像処理部２４、記憶部２５、受信部２６、スイッチ部２８、ＨＤＭＩ信号受信部２９１、及びスピーカ２９２を備え、これらがバス２１１及び各種信号線等を用いて相互に接続されてなる。
【００８０】
記憶部２５は、ＲＯＭ、ＲＡＭ、ＥＥＰＲＯＭ及びハードディスク等を用いてなり、制御プログラム２Ｐ及び制御プログラム２Ｐを実行するために必要なデータ等が記憶されている。制御プログラム２Ｐには、本発明のコンピュータプログラムが含まれている。この制御プログラム２Ｐは、表示装置２の製造時に記憶部２５のＲＯＭにインストールされてもよく、工場出荷後に、記憶部２５のＥＥＰＲＯＭにダウンロードされてもよい。
【００８１】
また、記憶部２５の例えばＥＥＰＲＯＭには、識別情報が記憶してある。つまり、記憶部２５は、識別情報を記憶する記憶手段として機能する。このために、記憶部２５には、例えば製造時に、自社製の画像送信装置１の識別情報が書き込まれる。
なお、記憶部２５に、自社製の複数種類の画像送信装置１，１，…夫々の識別情報のリストが記憶される構成でもよい。また、製造時には記憶されていなかった識別情報が、後日、追加されてもよい。
【００８２】
第２制御部２１は、マイクロプロセッサ及びキャッシュメモリ等を用いてなる。第２制御部２１は、表示装置２の制御中枢であり、記憶部２５のＲＡＭを作業領域として用い、記憶部２５のＲＯＭ又はＥＥＰＲＯＭに記憶された制御プログラム２Ｐ及びデータに従って装置各部を制御し、本実施の形態に係る種々のソフトウェア的機能を実行する。
【００８３】
表示部２０は、入力された画像データに基づく画像を表示する。
【００８４】
操作部２３は、表示装置２の筐体２００の側面部に設けられた操作ボタンを備えており、ユーザによって操作された操作ボタンに対応する操作信号を第２制御部２１へ出力する。操作信号が入力された第２制御部２１は、入力された操作信号に応じた各種処理を実行する。
受信部２６は、リモコン３が送信した操作信号を受信する。受信部２６が受信した操作信号は、第２制御部２１へ出力される。
【００８５】
ＨＤＭＩ信号受信部２９１は、ＨＤＭＩ線４１を介して映像信号を受信し、受信した映像信号を、信号処理部２２へ出力する。
信号処理部２２は、入力された映像信号を、画像データと音声データとに分離する。次いで、信号処理部２２は、分離後の画像データを画像処理部２４及びスイッチ部２８夫々へ出力し、分離後の音声データをスピーカ２９２へ出力する。
スピーカ２９２は、入力された音声データに応じた音声を出力する。
【００８６】
スイッチ部２８は、第２制御部２１に制御されて、１個の出力端子が、２個の入力端子の何れか一つに接続される。２個の入力端子の一方は、信号処理部２２に接続されており、他方は、画像処理部２４に接続されている。また、出力端子は表示部２０に接続されている。
このため、スイッチ部２８が画像処理部２４側に切り替えられている場合、信号処理部２２から出力された画像データは、画像処理部２４を経てから表示部２０に与えられる。一方、スイッチ部２８が信号処理部２２側に切り替えられている場合、信号処理部２２から出力された画像データは、画像処理部２４を経ず、直接的に表示部２０に与えられる。
【００８７】
画像処理部２４には、入力された画像データを、画像に含まれる輪郭部分が強調されるように補正する輪郭強調補正処理を施す輪郭補正回路が含まれている。
従って、スイッチ部２８が信号処理部２２側に切り替えられている場合に表示部２０に与えられる画像データは、輪郭強調補正処理が施されていない画像データであり、スイッチ部２８が画像処理部２４側に切り替えられている場合に表示部２０に与えられる画像データは、輪郭強調補正処理が施された画像データである。
【００８８】
なお、画像処理部２４には、輪郭補正回路以外の画像処理回路が含まれていてもよい。輪郭補正回路以外の画像処理回路とは、例えば、画像データのフレームレートを変更することによって、画像を高画質化するＦＲＣ（Frame Rate Control）回路、表示中の画像の揺れ又はぶれを軽減するためのＴＢＣ（Time Based Corrector）回路、又は画像データに含まれるノイズを除去するためのＤＮＲ（Digital Noise Reduction）回路等である。
【００８９】
画像送信装置１の第１制御部１１と表示装置２の第２制御部２１とは、通信線４のＣＥＣ線４２を介して接続されており、ＨＤＭＩ規格に基づいて、各種制御信号の送受信を行なう。
例えば、画像送信装置１がオフ状態又はスタンバイ状態からオン状態に移行した場合、画像送信装置１の第１制御部１１は、記憶部１５に記憶してある識別情報を含む制御信号（以下、単に識別情報という）を、ＨＤＭＩ線４１を介して表示装置２のＨＤＭＩ信号受信部２９１へ送信する。なお、識別情報は、例えば映像信号が送受信される都度、送受信されてもよい。
【００９０】
また、画像送信装置１の記憶部１５から読み出された映像信号（即ち、ＥＰＧデータを含む映像信号）をＨＤＭＩ信号送信部１９２からＨＤＭＩ線４１を介して表示装置２のＨＤＭＩ信号受信部２９１へ送信する場合に、画像送信装置１の第１制御部１１は、表示装置２へ送信する画像データの種類が静止画像データ（具体的にはＥＰＧデータ）であることを示す種類情報を含む制御信号（以下、単に種類情報という）を、ＣＥＣ線４２を介して表示装置２の第２制御部２１へ送信する。
【００９１】
このとき送信される種類情報は、送信される映像信号に含まれるＥＰＧデータに関連付けられている。種類情報とＥＰＧデータとを関連付けるためには、例えば、ＥＰＧデータを含む映像信号の送信開始に先駆けて種類情報を送信し、ＴＶ画像データを含む映像信号の送信前には種類情報を送信しなければよい。
制御信号を受信した第１制御部１１は、受信した制御信号に応じた各種の処理を実行する。同様に、制御信号を受信した第２制御部２１は、受信した制御信号に応じた各種処理を実行する。
【００９２】
リモコン３のチューナ電源キー３３１、ＴＶ電源キー３３２、及びＥＰＧ切替キー３３３等の操作キーが操作された場合、操作された操作キーに対応する操作信号が、画像送信装置１又は表示装置２へ送信される。
チューナ電源キー３３１は、画像送信装置１がスタンバイ状態にある場合に、画像送信装置１をオンするためのものである。また、チューナ電源キー３３１は、画像送信装置１がオン状態にある場合に、画像送信装置１をスタンバイ状態にするためのものである。
ＴＶ電源キー３３２は、表示装置２がスタンバイ状態にある場合に、表示装置２をオンするためのものである。また、ＴＶ電源キー３３２は、表示装置２がオン状態にある場合に、表示装置２をスタンバイ状態にするためのものである。
【００９３】
ＥＰＧ切替キー３３３は、表示装置２がオン状態にあり、且つ、表示部２０にＴＶ画像が表示されている場合に、表示部２０にＥＰＧを表示させるためのものである。また、ＥＰＧ切替キー３３３は、表示装置２がオン状態にあり、且つ、表示部２０にＥＰＧが表示されている場合に、表示部２０にＴＶ画像を表示させるためのものである。
【００９４】
チューナ電源キー３３１が操作された場合は、操作信号として、チューナ電源信号が送信され、ＴＶ電源キー３３２が操作された場合は、操作信号として、ＴＶ電源信号が送信され、ＥＰＧ切替キー３３３が操作された場合は、操作信号として、ＥＰＧ切替信号が送信される。
なお、チューナ電源信号、ＴＶ電源信号、及びＥＰＧ切替信号夫々を出力する操作ボタンが、画像送信装置１の操作部１３又は表示装置２の操作部２３に設けられていてもよい。
視聴すべきＴＶ画像を選択するための構成については説明を省略する。
【００９５】
ここで、本実施の形態の表示システム７の特徴について詳述する。
表示装置２では、表示部２０に与えられるＴＶ画像データに対しては輪郭強調補正処理が施される。一方、表示部２０に与えられるＥＰＧデータに対しては輪郭強調補正処理の実行が回避される。
この結果、表示部２０に表示されるＴＶ画像の画質が向上され、且つ、表示部２０に表示されるＥＰＧの画質の劣化が防止される。
仮に、動画像であるＴＶ画像に対して輪郭強調補正処理を施さなかった場合、ＴＶ画像に含まれる輪郭部分がぼやけて見えるような画質の劣化が生じる虞がある。また、仮に、文字を含む静止画像であるＥＰＧデータに対して輪郭強調補正処理が施された場合、ＥＰＧに含まれる文字の輪郭部分が強調され過ぎて、文字が多重に見えるような画質の劣化が生じる虞がある。
【００９６】
表示部２０に与えられるＴＶ画像データに対して輪郭強調補正処理を施すために、画像送信装置１から受信した映像信号に含まれている画像データがＴＶ画像データである場合は、スイッチ部２８が画像処理部２４側に切り替えられる。この結果、ＴＶ画像データは、輪郭強調補正処理が施されてから、表示部２０へ出力され、表示部２０は、輪郭強調補正処理が施されたＴＶ画像を表示する。
【００９７】
一方、表示部２０に与えられるＥＰＧデータに対する輪郭強調補正処理の実行を回避するために、画像送信装置１から受信した映像信号に含まれている画像データがＥＰＧデータである場合は、スイッチ部２８が信号処理部２２側に切り替えられる。この結果、ＥＰＧデータは、輪郭強調補正処理が施されることなく、表示部２０へ出力され、表示部２０は、輪郭強調補正処理が施されていないＥＰＧを表示する。
【００９８】
このように、本実施の形態では、輪郭強調補正処理の実行を、信号処理部２２から表示部２０への画像処理部２４を介したデータ出力というかたちで実現し、輪郭強調補正処理の実行回避を、信号処理部２２から表示部２０への画像処理部２４を迂回したデータ出力というかたちで実現している。
なお、本実施の形態ではスイッチ部２８を画像処理部２４の後段に設けてあるため、輪郭強調補正処理を実行回避する場合も画像処理部２４へ画像データが入力されるが、このような構成に限定されるものではない。例えば、スイッチ部２８を画像処理部２４の前段に設けて、輪郭強調補正処理を実行回避する場合は画像処理部２４へ画像データを入力しない構成でもよい。
【００９９】
或いは、スイッチ部２８を設けずに、画像処理部２４に備えられている輪郭補正回路の作動をオンする／オフするというかたちで、輪郭強調補正処理の実行／実行回避を実現してもよい。
また、輪郭強調補正処理を含む各種の画像処理をソフトウェア的に実行する構成でもよい。この場合は、画像処理のメインルーチンから、輪郭強調補正処理を実行するサブルーチンを呼び出す／呼び出さないというかたちで、輪郭強調補正処理の実行／実行回避を実現すればよい。
【０１００】
ところで、画像送信装置１から受信した映像信号に含まれている画像データの種類を、表示装置２側で判別することはない。画像データの種類を判別する煩雑な処理の代わりに、表示装置２側では、画像送信装置１から受信した映像信号に関連付けて、種類情報を受信したか否かを判定する簡易な処理が実行される。
種類情報を受信した場合は、スイッチ部２８が信号処理部２２側に切り替えられる。一方、種類情報を受信していない場合は、スイッチ部２８が画像処理部２４側に切り替えられる。
【０１０１】
本実施の形態では、輪郭強調補正処理を実行すべき対象として、動画像であるＴＶ画像を例示し、輪郭強調補正処理の実行を回避すべき対象として、文字を含む静止画像であるＥＰＧを例示しているが、文字を含まない静止画像は、輪郭強調補正処理を実行すべき対象であってもよく、輪郭強調補正処理の実行を回避すべき対象であってもよい。又は、文字を含まない静止画像の内、文字ではないが、文字に似た輪郭部分を有する静止画像（例えば線画を含む静止画像）については、文字を含む静止画像と同様に、輪郭強調補正処理の実行を回避すべき対象とするが、それ以外は、動画像と同様に、輪郭強調補正処理を実行すべき対象としてもよい。
【０１０２】
以上のように、画像データに対して輪郭強調補正処理を実行すべきか、輪郭強調補正処理の実行を回避すべきかの判断は、画像送信装置１側で行なわれる。例えば、文字を含まない静止画像について、輪郭強調補正処理の実行を回避すべきと判断した場合、画像送信装置１は、文字を含まない静止画像の静止画像データに関連付けて、種類情報を送信すればよい。逆に、文字を含まない静止画像について、輪郭強調補正処理を実行すべきと判断した場合、画像送信装置１は、種類情報を送信しなければよい。
【０１０３】
表示装置２側では、画像データの種類が直接的に判別されることはなく、種類情報を受信したか否かに応じて輪郭強調補正処理を実行するか、又は輪郭強調補正処理の実行を回避する。この結果、表示装置２の回路構成が簡単になるため、表示装置２の薄型化に寄与する。また、表示装置２の処理手順が簡易になるため、表示装置２における演算処理の負荷が軽減される。
しかも、表示装置２側では、受信した映像信号に含まれる画像データが、ＴＶ放送信号に由来する画像データであれ、ＤＶＤ又はハードディスク等から読み出された画像データであれ、区別することなく同様の処理手順で取り扱うことができる。
【０１０４】
画像データの種類に応じて実行／実行回避を選択すべき画像処理は、輪郭強調補正処理に限定されず、ＦＲＣ処理、ＴＢＣ処理及び／又はＤＮＲ処理等であってもよい。
更にまた、複数種類の画像処理が実行可能な構成にしておき、画像データの種類と、この画像処理に対して実行を回避すべき画像処理の種類との組み合わせが設定されていてもよい。例えば、動画像データに対しては複数種類の画像処理を全て実行し、静止画像データに対しては、複数種類の画像処理の内、一部を実行して残部の実行を回避する構成でもよい。
【０１０５】
ところで、画像データの種類に応じて輪郭強調補正処理を実行するか実行回避するかを選択する機能（以下、種類対応処理機能という）は、表示システム７が、自社製の画像送信装置１及び表示装置２で構成されている場合にのみ動作する。
他社製の画像送信装置１は、種類情報を送信するようには構成されていない可能性がある。この場合、表示装置２は種類情報を全く受信しないため、画像データの種類とは無関係に、画像送信装置１から受信した画像データに対して輪郭強調補正処理が施される。つまり、種類対応処理機能は動作しない。
【０１０６】
ただし、他社製の画像送信装置１であっても、種類情報と同一波形の制御信号を送信するように構成されている可能性がある。表示装置２側では、受信した制御信号が、種類情報であるのか、種類情報と同一波形の制御信号であるのかを判別することはできない。このため、以下では種類情報と同一波形の制御信号も種類情報という。
【０１０７】
他社製の画像送信装置１から種類情報を受信した場合に、表示装置２が誤って種類対応処理機能を動作させてしまう不都合を解消するために、表示装置２では、装置フラグＦが用いられる。“１”がセットされている装置フラグＦは、表示装置２自身に接続されている画像送信装置１が自社製であることを示す。また、“０”がセットされている装置フラグＦは、表示装置２自身に接続されている画像送信装置１が他社製であることを示す。
【０１０８】
画像送信装置１から受信した識別情報が自社製の画像送信装置１の識別情報であると判定された場合、装置フラグＦに“１”がセットされる。識別情報が他社製の画像送信装置１の識別情報であると判定された場合には、装置フラグＦは“０”にリセットされる。
【０１０９】
表示装置２は、装置フラグＦに“１”がセットされている場合は種類対応処理機能が動作し、装置フラグＦに“０”がセットされている場合は種類対応処理機能が動作しないように構成されている。この結果、表示システム７が自社製の画像送信装置１及び表示装置２で構成されている場合にのみ、種類対応処理機能が動作する。
なお、他社製であっても、例えば自社と提携している他社の製品であれば、種類対応処理機能が動作するようにしてもよい。
【０１１０】
図４は、表示装置２と画像送信装置１との間で実行される識別情報送受信処理の手順を示すフローチャートである。
ここで、画像送信装置１はスタンバイ状態であり、表示装置２はスタンバイ状態又はオン状態であるものとする。
【０１１１】
画像の視聴を所望するユーザは、スタンバイ状態にある画像送信装置１に向けて、チューナ電源キー３３１を操作する。
スタンバイ状態である画像送信装置１の第１制御部１１は、受信部１６を介してチューナ電源信号を受信したか否かを判定し（Ｓ１１）、受信していない場合は（Ｓ１１でＮＯ）、Ｓ１１の処理を繰り返し実行する。
スタンバイ状態でチューナ電源信号を受信した場合（Ｓ１１でＹＥＳ）、第１制御部１１は、画像送信装置１の各部をオン状態にする（Ｓ１２）。
オン状態になった画像送信装置１の第１制御部１１は、ＣＥＣ線４２を介して、記憶部１５に記憶されている識別情報を送信する（Ｓ１３）。Ｓ１３における第１制御部１１は、識別送信手段として機能する。
【０１１２】
画像の視聴終了を所望するユーザは、オン状態にある画像送信装置１に向けて、チューナ電源キー３３１を操作する。
オン状態である画像送信装置１の第１制御部１１は、受信部１６を介してチューナ電源信号を受信したか否かを判定し（Ｓ１４）、受信していない場合は（Ｓ１４でＮＯ）、Ｓ１４の処理を繰り返し実行する。
【０１１３】
オン状態でチューナ電源信号を受信した場合（Ｓ１４でＹＥＳ）、第１制御部１１は、画像送信装置１の各部をスタンバイ状態にして（Ｓ１５）、処理をＳ１１へ戻す。
ただし、画像送信装置１の第１制御部１１は、オフ状態からオン状態に移行した場合にも、Ｓ１２移行の処理を実行する。
【０１１４】
一方、オン状態又はスタンバイ状態である表示装置２の第２制御部２１は、ＣＥＣ線４２を介して識別情報を受信したか否かを判定し（Ｓ２１）、受信していない場合は（Ｓ２１でＮＯ）、Ｓ２１の処理を繰り返し実行する。
識別情報を受信した場合（Ｓ２１でＹＥＳ）、第２制御部２１は、記憶部２５に記憶してある識別情報を参照し（Ｓ２２）、記憶部２５に記憶してある識別情報と、Ｓ２１で受信した識別情報とが一致するか否かを判定する（Ｓ２３）。Ｓ２３における第２制御部２１は、一致判定手段として機能する。
なお、Ｓ２３では、比較すべき識別情報同士が全部一致するか否かを判定してもよく、比較すべき識別情報同士の対応する一部分（例えば社名を示す部分）が一致するか否かを判定してもよい。
【０１１５】
識別情報が一致する場合（Ｓ２３でＹＥＳ）、第２制御部２１は、装置フラグＦに“１”をセットする（Ｓ２４）。
識別情報が一致しない場合（Ｓ２３でＮＯ）、第２制御部２１は、装置フラグＦを“０”にリセットする（Ｓ２５）。
Ｓ２４又はＳ２５の処理終了後、第２制御部２１は、処理をＳ２１へ戻す。
なお、装置フラグＦに“１”がセットされた場合であっても、画像送信装置１がオフ状態又はスタンバイ状態になった場合、及び、画像送信装置１と表示装置２との接続が解除された場合等に、装置フラグＦは“０”にリセットされることが望ましい。
【０１１６】
図５は、表示装置２と画像送信装置１との間で実行される画像送受信処理の手順を示すフローチャートであり、図６は、表示装置２で実行される画像表示処理の手順を示すフローチャートである。図５に示すＳ４３、Ｓ４４、Ｓ４６及びＳ４７の各処理は、図６に示す画像表示処理の一部であり、図６に示すＳ４３、Ｓ４４、Ｓ４６及びＳ４７の各処理に等しい。
【０１１７】
まず、図５に示す画像送受信処理を説明する。ここで、画像送信装置１及び表示装置２は、夫々オン状態であるものとする。
オン状態にある表示装置２の第２制御部２１は、制御信号であるＴＶ画像要求信号を、ＣＥＣ線４２を介して画像送信装置１へ送信し（Ｓ４３）、次いで、後述する表示制御処理を行なうサブルーチン（図７参照）を呼び出し、実行する（Ｓ４４）。
【０１１８】
オン状態にある画像送信装置１の第１制御部１１は、ＣＥＣ線４２を介してＴＶ画像要求信号を受信したか否かを判定し（Ｓ３１）、受信していない場合は（Ｓ３１でＮＯ）、Ｓ３１の処理を繰り返し実行する。
ＴＶ画像要求信号を受信した場合（Ｓ３１でＹＥＳ）、第１制御部１１は、放送受信部１９０を制御してＴＶ放送信号を受信し（Ｓ３２）、受信したＴＶ放送信号に係る映像信号の内、ＴＶ画像データを含む映像信号をＨＤＭＩ信号送信部１９２から表示装置２へ送信させる（Ｓ３３）。
ＴＶ放送信号は連続的に受信されるため、ＴＶ画像データを含む映像信号の送信は、後述するＳ３５の処理で映像信号の送信が停止されるまで、継続される。
【０１１９】
ここで、第１制御部１１は、図示はしないが、放送受信部１９０が受信したＴＶ放送信号に係る映像信号の内、ＥＰＧデータを含む映像信号を、記憶部１５に記憶させる。
なお、スタンバイ状態にある画像送信装置１の第１制御部１１が、ＴＶ画像要求信号を受信した場合、図４に示すＳ１２及びＳ１３の処理を実行してから、Ｓ３２移行の処理を実行すればよい。
【０１２０】
オン状態にある表示装置２の第２制御部２１は、制御信号であるＥＰＧ要求信号を、ＣＥＣ線４２を介して画像送信装置１へ送信し（Ｓ４６）、次いで、表示制御処理を行なうサブルーチン（図７参照）を呼び出し、実行する（Ｓ４７）。
【０１２１】
Ｓ３３の処理実行後、画像送信装置１の第１制御部１１は、ＣＥＣ線４２を介してＥＰＧ要求信号を受信したか否かを判定し（Ｓ３４）、受信していない場合は（Ｓ３４でＮＯ）、Ｓ３４の処理を繰り返し実行する。
ＥＰＧ要求信号を受信した場合（Ｓ３４でＹＥＳ）、第１制御部１１は、ＨＤＭＩ信号送信部１９２からの映像信号の送信を停止させ（Ｓ３５）、ＣＥＣ線４２を介して種類情報を表示装置２へ送信する（Ｓ３６）。Ｓ３５で送信が停止される映像信号は、ＴＶ画像データを含む映像信号である。Ｓ３６における第１制御部１１は、種類送信手段として機能する。
【０１２２】
次いで、第１制御部１１は、ＥＰＧデータを含む映像信号を記憶部１５から読み出し（Ｓ３７）、読み出した映像信号をＨＤＭＩ信号送信部１９２から表示装置２へ送信させる（Ｓ３８）。
Ｓ３８の処理で映像信号を出力し終えた後は、次にＳ３３の処理が実行されるか、又は次にＳ３８の処理が実行されるまで、画像送信装置１から表示装置２へ映像信号が送信されることはない。
Ｓ３８の処理実行後、第１制御部１１は、処理をＳ３１へ戻す。
【０１２３】
次に、図６に示す画像表示処理を説明する。ここで、表示装置２は、スタンバイ状態であるものとする。
画像の視聴を所望するユーザは、スタンバイ状態にある表示装置２に向けて、ＴＶ電源キー３３２を操作する。
【０１２４】
スタンバイ状態である表示装置２の第２制御部２１は、受信部２６を介してＴＶ電源信号を受信したか否かを判定し（Ｓ４１）、受信していない場合は（Ｓ４１でＮＯ）、Ｓ４１の処理を繰り返し実行する。
スタンバイ状態でＴＶ電源信号を受信した場合（Ｓ４１でＹＥＳ）、第２制御部２１は、表示装置２の各部をオン状態にする（Ｓ４２）。
オン状態になった表示装置２の第２制御部２１は、ＣＥＣ線４２を介して、ＴＶ画像要求信号を画像送信装置１へ送信し（Ｓ４３）、次いで、表示制御処理を行なうサブルーチン（図７参照）を呼び出し、実行する（Ｓ４４）。Ｓ４４の処理が実行された結果、表示部２０にはＴＶ画像が表示される。
【０１２５】
ＴＶ画像を視聴している場合に、ＥＰＧの視聴を所望するユーザは、ＴＶ画像を表示している表示装置２に向けて、ＥＰＧ切替キー３３３を操作する。
【０１２６】
ＴＶ画像を表示している表示装置２の第２制御部２１は、受信部２６を介してＥＰＧ切替信号を受信したか否かを判定し（Ｓ４５）、受信した場合は（Ｓ４５でＹＥＳ）、ＣＥＣ線４２を介して、ＥＰＧ要求信号を画像送信装置１へ送信し（Ｓ４６）、次いで、表示制御処理を行なうサブルーチン（図７参照）を呼び出し、実行する（Ｓ４７）。Ｓ４７の処理が実行された結果、表示部２０にはＥＰＧが表示される。
【０１２７】
ＥＰＧを視聴している場合に、ＴＶ画像の視聴を所望するユーザは、ＥＰＧを表示している表示装置２に向けて、ＥＰＧ切替キー３３３を操作する。
【０１２８】
ＥＰＧを表示している表示装置２の第２制御部２１は、受信部２６を介してＥＰＧ切替信号を受信したか否かを判定し（Ｓ４８）、受信した場合は（Ｓ４８でＹＥＳ）、Ｓ４３及びＳ４４の処理を実行する。この結果、表示部２０にはＴＶ画像が表示される。
【０１２９】
ＴＶ画像を表示している表示装置２の第２制御部２１がＥＰＧ切替信号を受信していない場合（Ｓ４５でＮＯ）、又は、ＥＰＧを表示している表示装置２の第２制御部２１がＥＰＧ切替信号を受信していない場合（Ｓ４８でＮＯ）、第２制御部２１は、処理を後述するＳ４９へ移す。
オン状態である表示装置２の第２制御部２１は、受信部２６を介してＴＶ電源信号を受信したか否かを判定し（Ｓ４９）、受信していない場合は（Ｓ４９でＮＯ）、処理をＳ４５へ移す。
【０１３０】
オン状態でＴＶ電源信号を受信した場合（Ｓ４９でＹＥＳ）、第２制御部２１は、表示装置２の各部をスタンバイ状態にして（Ｓ５０）、処理をＳ４１へ戻す。
スタンバイ状態である表示装置２に向けて、ユーザがＥＰＧ切替キー３３３を操作したとしても、第２制御部２１は、受信したＥＰＧ切替信号を破棄する。
【０１３１】
図７は、表示装置２で実行される表示制御処理手順のサブルーチンを示すフローチャートである。
第２制御部２１は、スイッチ部２８を画像処理部２４側に切り替える（Ｓ６１）。Ｓ６１の処理が実行されることによって、第２制御部２１、画像処理部２４、及びスイッチ部２８は画像処理手段として機能する。
次いで、第２制御部２１は、ＨＤＭＩ信号受信部２９１が映像信号を受信したか否かを判定し（Ｓ６２）、まだ受信していない場合は（Ｓ６２でＮＯ）、Ｓ６２の処理を繰り返し実行する。
【０１３２】
ＨＤＭＩ信号受信部２９１が映像信号を受信した場合（Ｓ６２でＹＥＳ）、第２制御部２１は、装置フラグＦに“１”がセットされているか否かを判定する（Ｓ６３）。
装置フラグＦに“１”がセットされている場合（Ｓ６３でＹＥＳ）、種類対応処理機能が動作する。このため、第２制御部２１は、Ｓ６２で受信した映像信号に関連付けて、種類情報を受信したか否かを判定する（Ｓ６４）。Ｓ６４における第２制御部２１は、種類受信判定手段として機能する。
【０１３３】
種類情報を受信した場合（Ｓ６４でＹＥＳ）、第２制御部２１は、スイッチ部２８を信号処理部２２側に切り替える（Ｓ６５）。Ｓ６５の処理が実行されることによって、第２制御部２１及びスイッチ部２８は画像出力手段として機能する。
次いで、第２制御部２１は、信号処理部２２を制御することによって、表示部２０に画像を表示させる（Ｓ６６）。Ｓ６５及びＳ６６の処理が実行されることによって表示部２０に表示される画像は、輪郭強調補正処理が施されない画像である。
【０１３４】
装置フラグＦに“０”がセットされている場合（Ｓ６３でＮＯ）、又は、Ｓ６２で受信した映像信号に関連付けて、種類情報を受信していない場合（Ｓ６４でＮＯ）、第２制御部２１は、Ｓ６５の処理を実行せずに、Ｓ６６の処理を実行する。この結果、表示部２０に表示される画像は、輪郭強調補正処理が施された画像である。
【０１３５】
以上のような表示システム７においては、画像送信装置１及び表示装置２が自社製であっても他社製であっても、表示部２０に表示されるＴＶ画像は、輪郭部分が強調されているため、画質が向上する。また、画像送信装置１及び表示装置２が自社製同士である場合、表示部２０に表示されるＥＰＧは、輪郭部分が無用に強調されることがないため、画質の劣化が防止される。
【０１３６】
実施の形態  ２．
図８は、本発明の実施の形態２に係る表示システム７の概要を示す模式図である。また、図９及び図１０は、本発明の実施の形態２に係る表示システム７が備える画像送信装置１及び表示装置２の要部構成を示すブロック図である。
本実施の形態の表示システム７は、実施の形態１の表示システム７と大略同様の構成である。このため、以下では、実施の形態１の表示システム７との差異について説明し、その他、実施の形態１に対応する部分には同一符号を付してそれらの説明を省略する。
【０１３７】
本実施の形態の画像送信装置１は、実施の形態１の画像送信装置１と同様の機能に加えて、レコーダ機能も有する。このような画像送信装置１は、受信したＴＶ放送信号に適宜の信号処理を施すことによって、ＴＶ画像データを含む映像信号を生成し、生成した映像信号を記憶部１５の例えばハードディスクに記憶させ（以下、録画という）、録画した映像信号を、表示装置２へ送信する。
【０１３８】
表示装置２がオン状態にある場合、表示部２０には、ＴＶ画像、ＥＰＧ、又は画像送信装置１に保存された映像信号に係る動画像が表示される。この動画像の内容はＴＶ画像の内容と同一であるが、リアルタイムに視聴されるＴＶ画像と区別するために、以下では、便宜的にビデオ画像といい、ビデオ画像の動画像データをビデオ画像データという。ビデオ画像データを含む映像信号を読み出して、ビデオ画像を表示することを、以下では再生という。更に、ＴＶ画像、ＥＰＧ、及びビデオ画像を区別しない場合は、単に画像といい、ＴＶ画像データ、ＥＰＧデータ、及びビデオ画像データを区別しない場合は、単に画像データという。
【０１３９】
ビデオ画像は動画像である。従って、本実施の形態の表示システム７では、種類対応処理機能を動作させる場合でも、ビデオ画像データを送受信するときに種類情報は送受信されない。
なお、本実施の形態の表示システム７は、実施の形態１で説明した種類対応処理機能を有していなくてもよい。
【０１４０】
リモコン３は、再生キー３３４、及び停止キー３３５等の操作キーを更に備えている。
【０１４１】
再生キー３３４は、画像送信装置１及び表示装置２がオン状態にある場合に、表示部２０にビデオ画像を表示させるためのものである。以下では、再生すべきビデオ画像の選択についての説明は省略する。
停止キー３３５は、ビデオ画像の再生を停止させるためのものである。
再生キー３３４が操作された場合は、操作信号として、再生信号が送信され、停止キー３３５が操作された場合は、操作信号として、停止信号が送信される。なお、停止信号及び再生信号夫々を出力する操作ボタンが、画像送信装置１の操作部１３又は表示装置２の操作部２３に設けられていてもよい。
【０１４２】
図９に示すように、画像送信装置１は、第１制御部１１、信号処理部１２、操作部１３、圧縮処理部１４１、伸張処理部１４２、記憶部１５、受信部１６、放送受信部１９０、及びＨＤＭＩ信号送信部１９２等を備え、これらがバス１１１及び各種信号線等を用いて相互に接続されてなる。
【０１４３】
記憶部１５には、ビデオ画像データを含む映像信号が記憶（即ち録画）される。
ビデオ画像データを含む映像信号は、圧縮されずにそのまま録画される場合と、圧縮処理部１４１で圧縮されてから録画される場合とがある。
圧縮処理部１４１は、入力された映像信号に対して、互いに異なる圧縮率で圧縮処理を行なう複数種類（以下では、２種類を例示するが、これに限定されるものではない）の圧縮器１４ａ，１４ｂを備える。
以下では、圧縮率は、圧縮後の情報量を圧縮前の情報量で除算した百分率で表現し、圧縮も伸張もされていない場合は圧縮率１００％と表現する。
【０１４４】
圧縮器１４ａは、入力された映像信号（延いてはビデオ画像データ）の情報量を１／２に圧縮する。つまり、圧縮器１４ａから出力される映像信号の圧縮率は５０％である。このため、記憶部１５には、圧縮しないで録画する場合の２倍の情報量が記憶可能になる。
圧縮器１４ｂは、入力された映像信号の情報量を１／５に圧縮する。つまり、圧縮器１４ｂから出力される映像信号の圧縮率は２０％である。このため、記憶部１５には、圧縮しないで録画する場合の５倍の情報量が記憶可能になる。
【０１４５】
以下では、映像信号を圧縮せずに録画する場合をＤＲモードといい、映像信号を１／２に圧縮してから録画する場合を２倍モードといい、１／５に圧縮してから録画する場合を５倍モードという。ＤＲモード、２倍モード、及び５倍モードは択一的に実行される。
ユーザは、画像送信装置１が録画を開始する前に、リモコン３を操作して、何れのモードを実行すべきかを画像送信装置１に指令する。
【０１４６】
ＤＲモードが選択された場合、信号処理部１２から出力された映像信号は、圧縮処理部１４１を経ずに直接的に記憶部１５に入力される。
２倍モードが選択された場合、信号処理部１２から出力された映像信号は、圧縮処理部１４１に入力されて、圧縮器１４ａで圧縮されてから記憶部１５に入力される。
５倍モードが選択された場合、信号処理部１２から出力された映像信号は、圧縮処理部１４１に入力されて、圧縮器１４ｂで圧縮されてから記憶部１５に入力される。
【０１４７】
映像信号が、ＤＲモード、２倍モード、及び５倍モードの何れのモードで録画されたかを示す情報（以下、録画情報という）は、録画された映像信号に関連付けて、記憶部１５に記憶される。録画情報には、圧縮率を示す情報も含まれている。従って、記憶部１５に記憶されている録画情報を参照すれば、録画されている映像信号の圧縮率が容易にわかる。
【０１４８】
伸張処理部１４２は、圧縮された映像信号に対して伸張処理を行なう。ただし、２倍モードの映像信号に含まれる画像データはＤＲモードのものよりも画質が劣化し、５倍モードの映像信号に含まれる画像データは２倍モードのものよりも更に画質が劣化する。
【０１４９】
記憶部１５から読み出された映像信号は、伸張処理部１４２を経て信号処理部１２に入力される。信号処理部１２は、入力された映像信号をＨＤＭＩ信号送信部１９２へ出力する。
なお、画像送信装置１が映像信号を録画する構成に限定されず、例えば、既に映像信号及び録画情報が録画されているＤＶＤ又はブルーレイディスク等から映像信号を読み取る構成でもよい。
また、ＤＲモード、２倍モード、及び５倍モードに限定されず、３倍モード、又は７倍モード等が実行可能な構成でもよい。
【０１５０】
図１０に示すように、表示装置２は、表示部２０、第２制御部２１、信号処理部２２、操作部２３、画像処理部２４、記憶部２５、受信部２６、ＨＤＭＩ信号受信部２９１、及びスピーカ２９２を備え、これらがバス２１１及び各種信号線等を用いて相互に接続されてなる。
【０１５１】
画像処理部２４は、圧縮率対応処理手段として機能する第１処理部２４１、第２処理部２４２、及び第３処理部２４３を有する。
第１処理部２４１は、圧縮率１００％の映像信号（即ち、ＴＶ画像データを含む映像信号及びＤＲモードで録画された映像信号夫々）に対して、所定の画像処理（例えば輪郭強調補正処理）を施すためのものである。
【０１５２】
第２処理部２４２は、圧縮率が５０％の映像信号（即ち、２倍モードで録画された映像信号）に対して、所定の画像処理を施すためのものである。第２処理部２４２で施される画像処理には、劣化した画質を向上させるための圧縮率５０％に適した画質に調整する処理が含まれている。
第３処理部２４３は、圧縮率が２０％の映像信号（即ち、５倍モードで録画された映像信号）に対して、所定の画像処理を施すためのものである。第３処理部２４３で施される画像処理には、劣化した画質を向上させるための圧縮率２０％に適した画質に調整する処理が含まれている。
【０１５３】
第１処理部２４１における画像処理、第２処理部２４２における画像処理、及び第３処理部２４３における画像処理を択一的に実行するために、画像処理部２４には、スイッチ部２４ａが設けられている。スイッチ部２４ａは、信号処理部２２に制御されて、１個の入力端子が、３個の出力端子の何れか一つに接続される。
スイッチ部２４ａの入力端子には、信号処理部２２から、画像データが与えられる。
スイッチ部２４ａの３個の出力端子の一つは、第１処理部２４１に接続されており、他の一つは、第２処理部２４２に接続されており、残る一つは、第３処理部２４３に接続されている。
【０１５４】
画像送信装置１の第１制御部１１は、ビデオ画像を再生する場合に、表示装置２へ送信する画像データの圧縮率を示す圧縮率情報を含む制御信号（以下、単に圧縮率情報という）を、ＣＥＣ線４２を介して表示装置２の第２制御部２１へ送信する。
このとき送信される圧縮率情報は、送信される映像信号に含まれるビデオ画像データに関連付けられている。
ＴＶ画像データ又はＥＰＧデータを含む映像信号を送信する場合は、圧縮率情報は送信されない。
【０１５５】
ここで、本実施の形態の表示システム７の特徴について詳述する。
表示装置２では、ビデオ画像データに対して、ビデオ画像データの圧縮率に対応した画像処理が施される。この結果、表示部２０に表示されるビデオ画像の画質が向上される。
仮に、画像処理部２４が、第１処理部２４１しか備えていない場合、テレビ画像及び圧縮率１００％のビデオ画像については画質が十分に向上されるが、圧縮率が５０％又は２０％だったビデオ画像については画質の十分な向上が望めない。
【０１５６】
圧縮率に対応した画像処理を施すために、画像送信装置１から受信した映像信号に含まれているビデオ画像データの圧縮率が１００％である場合は、スイッチ部２４ａが第１処理部２４１側に切り替えられて、信号処理部２２から画像処理部２４の第１処理部２４１へビデオ画像データが出力される。
【０１５７】
一方、画像送信装置１から受信した映像信号に含まれているビデオ画像データの圧縮率が５０％（２０％）である場合は、スイッチ部２４ａが第２処理部２４２側（第３処理部２４３側）に切り替えられて、信号処理部２２から画像処理部２４の第２処理部２４２（第３処理部２４３）へビデオ画像データが出力される。
【０１５８】
ところで、画像送信装置１から受信した映像信号の圧縮率を、表示装置２側で判別することはない。圧縮率を判別する煩雑な処理の代わりに、表示装置２側では、画像送信装置１から受信した映像信号に関連付けて、圧縮率情報を受信したか否かを判定し、受信した圧縮率情報が示す圧縮率を参照する簡易な処理が実行される。この結果、表示装置２の回路構成が簡単になるため、表示装置２の薄型化に寄与する。また、表示装置２の処理手順が簡易になるため、表示装置２における演算処理の負荷が軽減される。
【０１５９】
しかも、表示装置２側では、受信した映像信号に含まれる画像データが、ＴＶ放送信号に由来する画像データであれ、ＤＶＤ又はブルーレイディスク等から読み出された画像データであれ、区別することなく同様の処理手順で取り扱うことができる。
【０１６０】
圧縮率情報を受信していない場合は、受信した映像信号にはＴＶ画像データ又はＥＰＧデータが含まれているため、スイッチ部２４ａは第１処理部２４１側に切り替えられる。
圧縮率情報を受信し、且つ、圧縮率情報が圧縮率１００％を示している場合は、受信した映像信号には、圧縮率１００％のビデオ画像データが含まれているため、スイッチ部２４ａは第１処理部２４１側に切り替えられる。
圧縮率情報を受信し、且つ、圧縮率情報が圧縮率５０％（圧縮率２０％）を示している場合は、受信した映像信号には、圧縮率が５０％（２０％）のビデオ画像データが含まれているため、スイッチ部２４ａは第２処理部２４２側（第３処理部２４３側）に切り替えられる。
【０１６１】
このように、本実施の形態では、スイッチ部２４ａを画像処理部２４の入力側に設けている。この結果、圧縮率に対応した画像処理の切り替えは、第１処理部２４１、第２処理部２４２及び第３処理部２４３への画像データの入力の切り替えというかたちで実現される。
このような実施の形態に限定されず、スイッチ部２４ａを画像処理部２４の出力側に設けてもよい。この場合、圧縮率に対応した画像処理の切り替えは、第１処理部２４１、第２処理部２４２及び第３処理部２４３からの画像データの出力の切り替えというかたちで実現される。
【０１６２】
なお、第１処理部２４１、第２処理部２４２及び第３処理部２４３夫々の作動をオン／オフするというかたちで、画像処理の切り替えを実現してもよい。また、圧縮率に対応した画像処理をソフトウェア的に実行する構成でもよい。この場合は、圧縮率情報に示された圧縮率に対応した画像処理のサブルーチンを呼び出し、圧縮率情報に示されていない圧縮率に対応した画像処理のサブルーチンは呼び出さないというかたちで、画像処理の切り替えを実現すればよい。
【０１６３】
ところで、圧縮率に対応した画像処理を施す機能（以下、圧縮率対応処理機能という）は、表示システム７が、自社製の画像送信装置１及び表示装置２で構成されている場合にのみ動作する。このために、実施の形態１と同様に、識別情報及び装置フラグＦが用いられる。更に、実施の形態１の識別情報送受信処理（図４参照）と同様の識別情報送受信処理が表示装置２と画像送信装置１との間で実行される。
また、本実施の形態の表示装置２と画像送信装置１との間でも、実施の形態１の画像送受信処理と同様の画像送受信処理（図５参照）が実行され、また、本実施の形態の表示装置２でも、実施の形態１の画像表示処理と同様の画像表示処理（図６参照）が実行される。ただし、図５に示すＳ４４及びＳ４７では、後述する図１２に示す表示制御処理のサブルーチンが呼び出される。
【０１６４】
図１１は、表示装置２と画像送信装置１との間で実行されるビデオ画像送受信処理の手順を示すフローチャートである。図１２は、表示装置２で実行される表示制御処理手順のサブルーチンを示すフローチャートである。
【０１６５】
図１２に示すＳ６１〜Ｓ６６の各処理は、実施の形態１の図７に示すＳ６１〜Ｓ６６の各処理に対応する。
【０１６６】
ビデオ画像の視聴を所望するユーザは、表示装置２の表示部２０にＴＶ画像が表示されている場合に、画像送信装置１に向けて、再生キー３３４を操作する。
図１１に示すように、オン状態にある画像送信装置１の第１制御部１１は、受信部１６を介して再生信号を受信したか否かを判定し（Ｓ８１）、受信していない場合は（Ｓ８１でＮＯ）、Ｓ８１の処理を繰り返し実行する。
【０１６７】
オン状態で再生信号を受信した場合（Ｓ８１でＹＥＳ）、第１制御部１１は、ＣＥＣ線４２を介して画像切替信号を表示装置２へ送信する（Ｓ８２）。Ｓ８２で送信される画像切替信号は、ＴＶ画像をビデオ画像に切り替えることを表示装置２に報知するためのものである。
オン状態にある表示装置２の第２制御部２１は、ＣＥＣ線４２を介して、制御信号である画像切替信号を受信したか否かを判定し（Ｓ７１）、受信していない場合は（Ｓ７１でＮＯ）、Ｓ７１の処理を繰り返し実行する。
画像切替信号を受信した場合（Ｓ７１でＹＥＳ）、第２制御部２１は、表示制御処理を行なうサブルーチン（図１２参照）を呼び出し、実行する（Ｓ７２）。
Ｓ７２の処理完了後、第２制御部２１は、処理をＳ７１へ戻す。
【０１６８】
Ｓ８２の処理終了後、画像送信装置１の第１制御部１１は、圧縮率情報を表示装置２へ送信する（Ｓ８３）。Ｓ８３の処理で送信される圧縮情報は、後述するＳ８５の処理で送信すべき映像信号に関連付けられて記憶部１５に記憶されている録画情報を参照して、第１制御部１１が生成したものである。Ｓ８３における第１制御部１１は、情報送信手段として機能する。
次に、第１制御部１１は、ビデオ画像データを含む映像信号を記憶部１５から読み出し（Ｓ８４）、読み出した映像信号をＨＤＭＩ信号送信部１９２から表示装置２へ送信させる（Ｓ８５）。
画像送信装置１側でＳ８５の処理を実行し、表示装置２側でＳ７２の処理を実行することによって、ビデオ画像が再生される。
【０１６９】
ビデオ画像の視聴終了を所望するユーザは、表示装置２の表示部２０にビデオ画像が表示されている場合に、画像送信装置１に向けて、停止キー３３５を操作する。
ビデオ画像の再生中に、第１制御部１１は、受信部１６を介して停止信号を受信したか否かを判定し（Ｓ８６）、受信していない場合は（Ｓ８６でＮＯ）、再生すべきビデオ画像に係る映像信号の読み出しが終了したか否かを判定し（Ｓ８７）、まだ読み出し中である場合は（Ｓ８７でＮＯ）、処理をＳ８６へ戻す。
【０１７０】
ビデオ画像の再生中に停止信号を受信した場合（Ｓ８６でＹＥＳ）、第１制御部１１は、ＨＤＭＩ信号送信部１９２からの映像信号の送信を停止させる（Ｓ８８）。
【０１７１】
Ｓ８８の処理完了後、又は、ビデオ画像に係る映像信号の読み出しが終了した場合（Ｓ８７でＹＥＳ）、第１制御部１１は、ＣＥＣ線４２を介して画像切替信号を表示装置２へ送信してから（Ｓ８９）、処理をＳ８１へ戻す。Ｓ８９で送信される画像切替信号は、ビデオ画像をＴＶ画像に切り替えることを表示装置２に報知するためのものであり、表示装置２の表示部２０に表示される画像が、ビデオ画像からＴＶ画像に切り替えられる。
【０１７２】
最後に、図１２に示す表示制御処理を説明する。
第２制御部２１は、Ｓ６１を実行し、また、信号処理部２２を制御することによって、スイッチ部２４ａを第１処理部２４１側に切り替えさせる（Ｓ１０１）。
Ｓ６３の処理でＮＯと判定された場合は、種類対応処理機能及び圧縮率対応処理機能が動作しない。従って、画像データの種類とは無関係に、第１処理部２４１で画像処理された画像データに基づく画像が表示される。
Ｓ６３の処理でＹＥＳと判定された場合、種類対応処理機能及び圧縮率対応処理機能が動作する。
【０１７３】
Ｓ６４の処理でＹＥＳと判定された場合、Ｓ６２で受信した映像信号はＥＰＧデータを含む映像信号であるため、第２制御部２１は、Ｓ６５以降の処理を実行する。従って、ＥＰＧデータは、画像処理部２４で処理されずに表示部２０に入力される。
Ｓ６４の処理でＮＯと判定された場合、第２制御部２１は、Ｓ６２で受信した映像信号に関連付けて、圧縮率情報を受信したか否かを判定する（Ｓ１０２）。Ｓ１０２における第２制御部２１は、圧縮受信判定手段として機能する。
【０１７４】
圧縮率情報を受信していない場合（Ｓ１０２でＮＯ）、Ｓ６２で受信した映像信号はＴＶ画像データを含む映像信号であるため、第２制御部２１は、Ｓ６６の処理を実行する。従って、第１処理部２４１で画像処理されたＴＶ画像データに基づくＴＶ画像が表示される。
圧縮率情報を受信した場合（Ｓ１０２でＹＥＳ）、第２制御部２１は、Ｓ１０２で受信した圧縮率情報が示す圧縮率が１００％であるか否かを判定し（Ｓ１０３）、１００％でない場合は（Ｓ１０３でＮＯ）、５０％であるか否かを判定する（Ｓ１０４）。
【０１７５】
Ｓ１０２で受信した圧縮率情報が示す圧縮率が１００％である場合（Ｓ１０３でＹＥＳ）、Ｓ６２で受信した映像信号は、圧縮率１００％のビデオ画像データを含む映像信号であるため、第２制御部２１は、Ｓ６６の処理を実行する。従って、第１処理部２４１で画像処理されたビデオ画像データに基づくビデオ画像が表示される。
【０１７６】
Ｓ１０２で受信した圧縮率情報が示す圧縮率が５０％である場合（Ｓ１０４でＹＥＳ）、Ｓ６２で受信した映像信号は、圧縮率が５０％のビデオ画像データを含む映像信号であるため、第２制御部２１は、信号処理部２２を制御することによって、スイッチ部２４ａを第２処理部２４２側に切り替えさせてから（Ｓ１０５）、Ｓ６６の処理を実行する。従って、第２処理部２４２で画像処理されたビデオ画像データに基づくビデオ画像が表示される。
【０１７７】
Ｓ１０２で受信した圧縮率情報が示す圧縮率が２０％である場合（Ｓ１０４でＮＯ）、Ｓ６２で受信した映像信号は、圧縮率が２０％のビデオ画像データを含む映像信号であるため、第２制御部２１は、信号処理部２２を制御することによって、スイッチ部２４ａを第３処理部２４３側に切り替えさせてから（Ｓ１０６）、Ｓ６６の処理を実行する。従って、第３処理部２４３で画像処理されたビデオ画像データに基づくビデオ画像が表示される。
Ｓ１０１，Ｓ１０５、又はＳ１０６の処理が実行されることによって、第２制御部２１に制御されてスイッチ部２４ａを切り替える信号処理部２２は、画像処理制御手段として機能する。
【０１７８】
実施の形態１，２において、第１制御部１１からＣＥＣ線４２を介して第２制御部２１へ送信される制御信号は、識別情報、種類情報及び圧縮率情報に限定されるものではない。例えば、市販のブルーレイディスク又はＤＶＤ−ＲＯＭ等の記録ディスクに記録されている画像データを再生中である場合に、記録ディスク再生モードであることを示す制御信号が送信される。この制御信号を第２制御部２１が受信した場合、表示装置２は、受信した画像データにスケーリング処理等を施さずに、ドット・バイ・ドットで画像を表示する。この結果、スケーリング処理等による画質劣化が防止されるため、記録ディスクに記憶されている画像データ本来の高画質な画像が再生される。ただし、装置フラグＦが“０”にリセットされている場合は、この制御信号を受信した場合でも、画像データにスケーリング処理等を施してもよい。
【０１７９】
以上のような表示システム７においては、画像送信装置１及び表示装置２が自社製同士である場合、表示部２０に表示されるビデオ画像は、圧縮率に対応した画像処理が施されているため、画質が十分に向上されている。
【０１８０】
なお、今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
更に、本発明の効果がある限りにおいて、表示システム７に、実施の形態１，２に開示されていない構成要素が含まれていてもよい。
【符号の説明】
【０１８１】
１    画像送信装置
１１  第１制御部
２    表示装置
２０  表示部
２１  第２制御部
２２  信号処理部（画像処理制御手段）
２４  画像処理部（画像処理手段）
２５  記憶部（記憶手段）
２４１  第１処理部（圧縮率対応処理手段）
２４２  第２処理部（圧縮率対応処理手段）
２４３  第３処理部（圧縮率対応処理手段）
２８  スイッチ部（画像処理手段，画像出力手段）
７    表示システム
【図１】
2010177816.tif 000003
【図２】
2010177816.tif 000004
【図３】
2010177816.tif 000005
【図４】
2010177816.tif 000006
【図５】
2010177816.tif 000007
【図６】
2010177816.tif 000008
【図７】
2010177816.tif 000009
【図８】
2010177816.tif 000010
【図９】
2010177816.tif 000011
【図１０】
2010177816.tif 000012
【図１１】
2010177816.tif 000013
【図１２】
2010177816.tif 000014